(57)【要約】【課題】本発明の課題は、クレセントの掛具が掛部受具に嵌った施錠状態でも限定された移動量だけ引違窓等の開閉方向に移動可能であるクレセントを提供することである。【解決手段】本発明によるクレセントでは、クレセントの掛部受け具に嵌るための掛部は、軸と、これを回転の芯とする回転部と、回転部に取りついた掛片及びハンドルと、少なくとも軸を固定し、扉の框に取り付けるための筐体を備え、筐体は、ハンドルを回転し、掛片を出す場合に機械的干渉しないために、ハンドル用開口部と掛片用開口部を備え、更に、軸に沿ってその軸方向に回転部が移動自在に動くことが可能であり、その際、ハンドル及びは掛片は、ハンドル用開口部と及び掛片用開口部と各々機械的干渉しないように開口幅を有したものである。【選択図】図１
2016191217.tif 000002
【特許請求の範囲】
【請求項１】
引違い扉又は引違い窓の框に取り付けるクレセントであって、外側框に取り付ける掛部受け具と、内側框に取り付ける掛部を有し、前記掛部は、軸と、これを回転の芯とする回転部と、回転部に一体に取りついた掛片及びハンドルと、少なくとも前記軸を固定し、前記框に取り付けるための筐体とを備え、前記筐体は、前記ハンドルを回転し、前記掛片を前記掛部受け具に嵌める又は外す際に、前記ハンドル及び前記掛片が機械的干渉をしないために、ハンドル用開口部と掛片用開口部を備え、前記軸に沿ってその軸方向に前記回転部が移動自在に動くことが可能であり、その際、前記ハンドル及び前記掛片は、前記ハンドル用開口部の縁と前記掛片用開口部の縁とに各々機械的干渉をしないように開口幅を有したものであることを特徴とするクレセント。
【請求項２】
前記外側框と前記内側框が引違いの方向に相互に搖動しても、
前記回転部が搖動する際に、搖動の衝撃を緩和できるように前記回転部と前記筐体の間に弾性的なクッション体を備えることを特徴とする請求項１記載のクレセント。
【請求項３】
前記クレセントの施錠状態で、前記ハンドルが搖動しても前記筐体に機械的干渉をしないように、前記ハンドル用開口部は、前記ハンドルがある部分のみ広い部分幅広開口部を有していることを特徴とする請求項１又は請求項２記載のクレセント。
【請求項４】
前記掛片のある側の筐体に前記ハンドルを外側に対し隠すためのハンドル隠しカバーを設けたことを特徴とする請求項１から請求項３のいずれか１つに記載のクレセント。
【請求項５】
前記回転部の円柱の側面には、ピン穴を備え、前記クレセントの施錠状態で、前記ピン穴に嵌る阻止ピンと、前記阻止ピンを飛び出す方向に付勢しながら支持するピン支持体とを備え、前記ピン支持体を動かして前記阻止ピンを前記ピン穴から抜けた状態にしないと、前記クレセントの前記ハンドルを開錠状態にできない回転部ロック手段を備えたことを特徴とする請求項１から請求項４のいずれか１つに記載のクレセント。
【発明の詳細な説明】
【技術分野】
【０００１】
本発明は、クレセントの掛具が掛部受具に嵌った施錠状態でも限定された移動量だけ引違窓等の開閉方向に移動可能であるクレセントに関するものである。
【背景技術】
【０００２】
従来、クレセントは、主に引き違い扉や窓に取り付けられる。
図５は従来のクレセントを示す図である。
５−Ａにおいて、扉や窓等の引違枠を取付対象物とすれば、引違枠の室内側枠の立框に取付けられる、掛部本体５１００と、引違枠の室外側枠の立框に取付けられる、掛部受具５２００を備えている。掛部本体５１００は、基台５１１０とこれに回転自在に取り付けた
掛部５１２０を備え、基台５１１０には、室内側枠の立框に取り付けるためのネジ穴とネジ等の取付け具５１１１が付いている。掛部５１２０は、回転部５１２１とこれについて回転移動し、掛部受具５２００の嵌り溝５２０１に嵌り、又、外すことが可能な掛片５１２２と、回転部５１２１に取りついて回転をさせるハンドル５１２３を備えている。５−Ｂには、５−Ａのクレセントが室内外の両側の引違立框に取りついた状態を示している。
このような非常に単純な構成であり、ハンドルを手で回せば、容易に掛片５１２２が掛部受具５２００に嵌り施錠状態に、又、逆に回転して外せば、開錠状態になる。
窓等に沢山使用されている。このようなクレセントの欠点は、施錠状態では堅固に窓枠が互いに固定されるため、地震動などでの窓枠の瞬間的ゆがみの影響が大きく、第一の欠点として、窓ガラスの破損を招きやすいこと、或いは、第二の欠点として、歪みにより窓が開かなくなって避難に支障をきたすことなどがあげられる。
第一の欠点に対応することを目的としていないが、特許文献１で提案されたシリンダ錠は、
図６に示すようなものである。右側の図に示すようにシリンダを受ける溝がある長さを持っているので、シリンダは、この溝に嵌って、その長さの範囲内で自由にスライドできる。従来は、施錠せずにチェインなどで結合し開き加減を調整可能にしていたものである。すなわち、扉の開き加減を所望の状態にしたものである。換気の為に扉を所望の開き状態にしておきたいが、防犯上から完全な開放でなくしたいための対応であった。特許文献１はこれに対応するものであるが、一応の施錠を維持したまま、開きを可能としている。
シリンダ錠のシリンダは溝にかみ合っていて、溝は引違扉の開閉方向に対して作成が可能であるので、このような対応が取れた。シリンダ錠の特徴を生かせた提案である。
然しながら、クレセントはこのような対応はとれない。無理にとれば、掛部受け具から掛具が外れやすくなる。そして、換気を目的にしなければ、開きを確保する必要が無いのでこのように長い距離の移動可能性は必要がない。地震動などでの窓枠の瞬間的ゆがみの影響を回避するためだけならば、大きくても１０ｍｍ程度も動ければ十分だからである。
そして、クレセントにおいてこのような要求に対応するものは見当たらない。
第二の欠点に対しては、特許文２〜特許文６には、震動等を機械的に検知して機械的に開錠処理を行う錠装置が示されている。又、特許文献７〜特許文献９には、震動等を電気的に検知して電気機械的に開錠処理を行う錠装置が示されている。いずれも、クレセント錠自体が震動等を緩和する機能までを含んだものはない。
【先行技術文献】
【特許文献】
【０００３】
【特許文献１】特開２０００−２０４８１１
【特許文献２】特開２０１０−２２２９５５
【特許文献３】特開２０１３−２３８３１
【特許文献４】特開２０１４−１０１７３１
【特許文献５】特開２０１４−３７７５９
【特許文献６】特開２０１３−２２１３９２
【特許文献７】特開２０１３−１２４４５３
【特許文献８】特開２０１３−２２４５１７
【特許文献９】特開２０１３−１８１３３９
【発明の概要】
【発明が解決しようとする課題】
【０００４】
本発明の課題は、クレセントの掛具が掛部受具に嵌った施錠状態でも限定された移動量だけ引違窓等の開閉方向に移動可能であるクレセントを提供することである。
【課題を解決するための手段】
【０００５】
本発明によるクレセントでは、クレセントの掛部受け具に嵌るための掛部は、軸と、これを回転の芯とする回転部と、回転部に取りついた掛片及びハンドルと、少なくとも軸を固定し、扉の框に取り付けるための筐体を備え、筐体は、ハンドルを回転し、掛片を出す場合に機械的干渉しないために、ハンドル用開口部と掛片用開口部を備え、更に、軸に沿ってその軸方向に回転部が移動自在に動くことが可能であり、その際、ハンドル及びは掛片は、ハンドル用開口部と及び掛片用開口部と各々機械的干渉しないように開口幅を有したものである。以下詳述する。
【０００６】
請求項１記載の発明は、
引違い扉又は引違い窓の框に取り付けるクレセントであって、外側框に取り付ける掛部受け具と、内側框に取り付ける掛部を有し、前記掛部は、軸と、これを回転の芯とする回転部と、回転部に一体に取りついた掛片及びハンドルと、少なくとも前記軸を固定し、前記框に取り付けるための筐体とを備え、前記筐体は、前記ハンドルを回転し、前記掛片を前記掛部受け具に嵌める又は外す際に、前記ハンドル及び前記掛片が機械的干渉をしないために、ハンドル用開口部と掛片用開口部を備え、前記軸に沿ってその軸方向に前記回転部が移動自在に動くことが可能であり、その際、前記ハンドル及び前記掛片は、前記ハンドル用開口部の縁と前記掛片用開口部の縁とに各々機械的干渉をしないように開口幅を有したものであることを特徴とする。
【０００７】
請求項２記載の発明は、請求項１記載のクレセントにおいて、
前記外側框と前記内側框が引違いの方向に相互に搖動しても、
前記回転部が搖動する際に、搖動の衝撃を緩和できるように前記回転部と前記筐体の間に弾性的なクッション体を備えることを特徴とする。
【０００８】
請求項３記載の発明は、請求項１又は請求項２記載のクレセントにおいて、
前記クレセントの施錠状態で、前記ハンドルが搖動しても前記筐体に機械的干渉をしないように、前記ハンドル用開口部は、前記ハンドルがある部分のみ広い部分幅広開口部を有していることを特徴とする。
【０００９】
請求項４記載の発明は、請求項１から請求項３のいずれか１つに記載のクレセントにおいて、前記掛片のある側の筐体に前記ハンドルを外側に対し隠すためのハンドル隠しカバーを設けたことを特徴とする。
【００１０】
請求項５記載の発明は、請求項１から請求項４のいずれか１つに記載のクレセントにおいて、前記回転部の円柱の側面には、ピン穴を備え、前記クレセントの施錠状態で、前記ピン穴に嵌る阻止ピンと、前記阻止ピンを飛び出す方向に付勢しながら支持するピン支持体とを備え、前記ピン支持体を動かして前記阻止ピンを前記ピン穴から抜けた状態にしないと、前記クレセントの前記ハンドルを開錠状態にできない回転部ロック手段を備えたことを特徴とする。
【発明の効果】
【００１１】
以上のように構成されているので、本発明のクレセントでは、クレセントの掛具が掛部受具に嵌った施錠状態でも限定された移動量だけ引違窓等の開閉方向に移動可能であるので、従来のクレセントの欠点、第一の欠点としての窓ガラスの破損を招きやすいこと、第二の欠点としての歪みにより窓が開かなくなって避難に支障をきたすことが忌避できて、極めて好都合な特徴が得られる。
【図面の簡単な説明】
【００１２】
【図１】本発明のクレセントの一実施態様を示す図である。
【図２】本発明のクレセントの他の実施態様を示す図である。
【図３】本発明のクレセントの他の一実施態様を示す図である。
【図４】本発明のクレセントの他の一実施態様を示す図である。
【図５】従来のクレセント実施態様を示す図である。
【図６】特許文献１のシリンダ錠を示す図である。
【発明を実施するための形態】
【００１３】
本発明によるクレセントでは、クレセントの掛部受け具に嵌るための掛部は、軸と、これを回転の芯とする回転部と、回転部に取りついた掛片及びハンドルと、少なくとも軸を固定し、扉の框に取り付けるための筐体を備え、筐体は、ハンドルを回転し、掛片を動かす場合に機械的干渉をしないために、ハンドル用開口部と掛片用開口部を備え、更に、軸に沿ってその軸方向に回転部が移動自在に動くことが可能であり、その際、ハンドル及び掛片は、ハンドル用開口部の縁と及び掛片用開口部の縁と各々機械的干渉をしないように開口幅を有したものである。
以下、詳述する。
【００１４】
図１は、本発明によるクレセントの一実施態様を示す図である。
１−Ａは、クレセントの図示しない掛け部受け具に嵌るための掛け部１００を示す。掛け部１００は、軸１１０とこれを回転軸（回転の芯）とする回転部１２０、回転部１２０に取りついており、回転により掛け部受け具に嵌り又外れる掛片１３０、回転部１２０に取りついて回転を行うためのハンドル１４０と、少なくとも軸１１０を固定し、扉の框に取り付けるための筐体１５０を備え、筐体１５０は、ハンドル１４０を回転する場合に機械的干渉しないためにハンドル用開口部１６０と掛片１３０を掛け部受け具側に動かすために機械的干渉しないための掛片用開口部１７０を備え、更に、軸１１０に沿ってその軸方向に回転部１２０が移動自在に動くことが可能であり、その際、ハンドル１４０は、ハンドル用開口部１６０の縁と、掛片１３０は、掛片用開口部１７０の縁と各々機械的干渉しないように開口幅を有している。
尚、勿論、回転部１２０と掛片１３０とハンドルは一体についているので、同時に動く。
従って、震動があって、扉が引違方向に相互に移動しても、回転部１２０が動く範囲で移動するので、震動の衝撃を緩和できる。尚、回転部１２０と筐体１５０の間には、バネなど弾性的なクッション体１８０を備えると、衝撃の緩和に都合がよい。
１−Ｂには、１−Ａのものに、掛片１３０のある側（扉の外側方向）の筐体１５０にハンドル隠しカバー１９０を設けたものである。文字通り、外からはハンドルが隠れるので、ハンドルを動かすことできないので、防犯性がよい。
尚、取付部２００は軸１１０を筐体１５０に取り付けている結合部となっている。
【００１５】
図２は、本発明のクレセントの他の実施態様を示す図である。
図１の１−Ａとの違いを言えば、１−Ａにおいては、軸１１０の周りにクッション体１８０を配置したが、２−Ａでは、軸１１０の表面に沿って配置してある。
２−Ｂでは、１−Ａではクッション体１８０をコイルバネ状のものを配置したが、２−Ｂでは、軸１１０に嵌めたリング状のクッション体１８０となっている。これは、輪の中心から径方向に沿って軸方向に屈曲した弾性的な金属板で構成してもよい。
【００１６】
図３は、本発明のクレセントの他の一実施態様を示す図である。
１−Ａとの違いは、１−Ａでは、ハンドル用開口部１６０がハンドル１４０の横移動の分だけ開口していたが、３−Ａでは、ハンドル１４０が施錠状態すなわちハンドル１４０が図のように立ち位置にある状態でのみ横移動を許せばよい（開錠状態では、もともと自由に動ける）ので、ハンドル１４０の立ち位置に対応する部分のみ横移動を許すように他の開口部よりも広い部分幅広開口部３１０としたものである。
３−Ｂでは、広い部分幅広開口部３１０を持ちながら、軸１１０を管状にして、内側に回転部１２０が収納され横移動するものであり、この場合には、軸１１０にも広い部分幅広開口部３１０が必要になるので、複雑になる。従って、図１から図３−Ａに示した、回転部１２０が管状で、軸１１０が回転部１２０の管穴に嵌っている方が好都合である。
【００１７】
図４は、本発明のクレセントの他の一実施態様を示す図である。
以上に説明したクレセントに解除防止機能を付けたものを示している。
回転軸の軸方向から見たものである。
軸１１０、回転部１２０、掛片１３０、ハンドル１４０、筐体１５０は、今まで記述したとおりである。回転部１２０の円柱の側面には、阻止ピンが嵌るピン穴４１０を備えている。ピン支持体４２０に阻止ピン４３０が支持され、バネ等の弾性体部４４０で飛び出す方向に付勢されている。従って、施錠状態では、ピン穴４１０と阻止ピン４３０が対面し、ピン穴４１０に阻止ピン４３０が嵌っている。開錠する場合にこの阻止ピン４３０を引き抜きつつハンドル１４０を回転する必要がある。この場合の阻止ピン４３０の引く抜く手段は各種とれるが、図の一例を説明すると、ピン支持体４２０は回転軸４５０の周りに回転でき、ピン支持体４２０に連結した解除ハンドル４６０を動かすと、ピン支持体４２０は回転し、阻止ピン４３０がピン穴４１０から抜けた状態になるので、この状態でハンドル１４０を回転することができる。阻止ピン４３０が抜けてハンドル１４０がある程度回転すると、阻止ピン４３０が回転部１２０の側面に押されて凹んだ状態になる。この状態は開錠状態であるが、４−Ｂに示す。尚、４−Ａの施錠状態では、ハンドル１４０を開錠状態に回しても、ピン穴４１０が阻止ピン４３０に係り、わずかに回転しても、ピン支持体４２０の一部が、筐体１５０に固定した固定体４７０に接触しそれ以上回転しない。この状態では、まだ阻止ピン４３０は、ピン穴４１０から抜けていない状態なので、解除ハンドル４６０を動かした状態でハンドル１４０を開錠状態に回さない限り開錠されない。
【産業上の利用可能性】
【００１８】
以上のように構成されているため、本発明のクレセントでは、クレセントの掛具が掛部受具に嵌った施錠状態でも限定された移動量だけ引違窓等の開閉方向に移動可能であり、従来のクレセントの欠点、第一の欠点としての窓ガラスの破損を招きやすいこと、第二の欠点としての歪みにより窓が開かなくなって避難に支障をきたすことが忌避でき好都合であり、産業上利用性が極めて大きい。
【符号の説明】
【００１９】
１００  掛け部
１１０  軸
１２０  回転部
１３０  掛片
１４０  ハンドル
１５０  筐体
１６０  ハンドル用開口部
１７０  掛片用開口部
１８０  クッション体
１９０  ハンドル隠しカバー
２００  取付部
３１０  部分幅広開口部
４１０  ピン穴
４２０  ピン支持体
４３０  阻止ピン
４４０  弾性体部
４５０  回転軸
４６０  解除ハンドル
４７０  固定体
５１００  掛部本体
５１１０  基台
５１１１  取付け具
５１２０  掛部
５１２１  回転部
５１２２  掛片
５１２３  ハンドル
５２００  掛部受具
５２０１  嵌り溝
【図１】
2016191217.tif 000003
【図２】
2016191217.tif 000004
【図３】
2016191217.tif 000005
【図４】
2016191217.tif 000006
【図５】
2016191217.tif 000007
【図６】
2016191217.tif 000008